(57)【要約】【課題】  浴槽に供給される液体に対して十分に気体を混合するための混合機構を備える浴槽用混合装置を提供すること。【解決手段】  浴槽３に、水に気体を混合した混合液を供給する浴槽用混合装置１であって、水に気体を混合するための第１混合槽１０および第２混合槽２０と、浴槽３から第１混合槽１０に混合液を回収するための回収循環路３２と、回収循環路３２に水を供給する水供給部４１と、回収循環路３２に気体を供給する気体供給部４２とを備える。これにより、十分に気体が混合された混合液を浴槽３へ供給することが可能となる。【選択図】        図２
2007268245.tif 000002
【特許請求の範囲】
【請求項１】
浴槽に、水に気体を混合した混合液を供給する浴槽用混合装置であって、
その上部に前記混合液の流入管に接続する孔部が形成されたチャンバーと、前記チャンバー内に配設され、その下端部開口が前記チャンバーの底部に近接して配置されるとともに、その上端部開口が前記混合液の流出管に接続された筒状体とを備える第１混合槽と、
その内部に前記混合液を供給する流入口に接続し、その内部に貯留された前記混合液中に混合液を流出させるための多数の孔部が穿設された供給管を備える第２混合槽と、
前記第１混合槽から前記第２混合槽に前記混合液を供給するための中間供給路と、
前記第２混合槽から前記浴槽に前記混合液を供給するための供給路と、
前記浴槽から前記第１混合槽に前記混合液を回収するための回収循環路と、
前記回収循環路から前記第１混合槽と前記第２混合槽を介して浴槽に至るまでの循環路中に水を供給する水供給部と、
前記回収循環路から第前記１混合槽と前記第２混合槽を介して浴槽に至るまでの循環路中に気体を供給する気体供給部と、
を備えることを特徴とする浴槽用混合装置。
【請求項２】
請求項１に記載の浴槽用混合装置において、
前記中間供給路に開閉弁を備える浴槽用混合装置。
【請求項３】
請求項１または請求項２に記載の浴槽用混合装置において、
前記第２混合槽内に、第２混合槽に貯留された混合液の水流を衝突させるための対流壁を備える浴槽用混合装置。
【請求項４】
請求項１乃至請求項３のいずれかに記載の浴槽用混合装置において、
前記供給管が前記中間供給路からの流入口に接続されている浴槽用混合装置。
【請求項５】
請求項１乃至請求項３のいずれかに記載の浴槽用混合装置において、
前記第２混合槽に、
循環ポンプと、前記循環ポンプに前記第２混合槽に貯留された混合液を流入させるための流入路と、前記循環ポンプから前記第２混合槽に混合液を流出させるための流出路とを備え、
前記供給管が前記流出路に接続されている浴槽用混合装置。
【請求項６】
請求項１乃至請求項５のいずれかに記載の浴槽用混合装置において、
前記供給管は、前記多数の孔部を混合液に浸漬させた状態で当該多数の孔部を介して前記第２混合槽内に混合液をシャワー状に供給する浴槽用混合装置。
【請求項７】
請求項１乃至請求項５のいずれかに記載の浴槽用混合装置において、
前記供給管は、前記多数の孔部を混合液の液面より上に配置させた状態で当該多数の孔部を介して前記第２混合槽内に混合液をシャワー状に供給する浴槽用混合装置。
【請求項８】
請求項１乃至請求項７のいずれかに記載の浴槽用混合装置において、
前記気体供給機構により供給される気体は二酸化炭素である浴槽用混合装置。
【発明の詳細な説明】
【技術分野】
【０００１】
この発明は、浴槽に供給する液体に対して気体を混合するための浴槽用混合装置に関する。
【背景技術】
【０００２】
炭酸ガスなどの気体が溶解された液体に手足を浸漬させて温浴効果を得るための浴槽において、浴槽に供給するための液体に気体を混合する装置として、特許文献１に記載の装置が知られている。
【０００３】
特許文献１に記載の装置は、浴槽と、浴槽に噴流を噴出するジェットノズルと、ジェットノズルに空気流入管を介して接続されるエアインテークとを備える。
【０００４】
このため、特許文献１に記載の装置によれば、浴槽に気体が混合した液体を供給ことができ、温浴効果を高めることが可能となる。
【特許文献１】特開２００１−１４５６７６号公報
【発明の開示】
【発明が解決しようとする課題】
【０００５】
しかしながら、特許文献１に記載の装置によれば、浴槽に供給するための液体に対して、単に空気流入管により気体を供給するのみであるため、十分に気体を混合することができない。このように気体を十分に混合することができなければ、十分な温浴効果を得ることができないばかりではなく、浴槽に供給された液体から気体が即座に流出してしまうこととなる。
【０００６】
このため、この発明は、以上のような課題を解決するためになされたものであり、浴槽に供給される液体に対して十分に気体を混合するための混合機構を備える浴槽用混合装置を提供することを目的とする。
【課題を解決するための手段】
【０００７】
請求項１に記載の発明は、浴槽に、水に気体を混合した混合液を供給する浴槽用混合装置であって、その上部に前記混合液の流入管に接続する孔部が形成されたチャンバーと、前記チャンバー内に配設され、その下端部開口が前記チャンバーの底部に近接して配置されるとともに、その上端部開口が前記混合液の流出管に接続された筒状体とを備える第１混合槽と、その内部に前記混合液を供給する流入口に接続し、その内部に貯留された前記混合液中に混合液を流出させるための多数の孔部が穿設された供給管を備える第２混合槽と、前記第１混合槽から前記第２混合槽に前記混合液を供給するための中間供給路と、前記第２混合槽から前記浴槽に前記混合液を供給するための供給路と、前記浴槽から前記第１混合槽に前記混合液を回収するための回収循環路と、前記回収循環路から前記第１混合槽と前記第２混合槽を介して浴槽に至るまでの循環路中に水を供給する水供給部と、前記回収循環路から第前記１混合槽と前記第２混合槽を介して浴槽に至るまでの循環路中に気体を供給する気体供給部とを備えることを特徴とする。
【０００８】
請求項２に記載の発明は、請求項１に記載の浴槽用混合装置において、前記中間供給路に開閉弁を備える。
【０００９】
請求項３に記載の発明は、請求項１または請求項２に記載の浴槽用混合装置において、前記第２混合槽内に、第２混合槽に貯留された混合液の水流を衝突させるための対流壁を備える。
【００１０】
請求項４に記載の発明は、請求項１乃至請求項３のいずれかに記載の浴槽用混合装置において、前記供給管が前記中間供給路からの流入口に接続されている。
【００１１】
請求項５に記載の発明は、請求項１乃至請求項３のいずれかに記載の浴槽用混合装置において、前記第２混合槽に、循環ポンプと、前記循環ポンプに第２混合槽に貯留された混合液を流入させるための流入路と、前記循環ポンプから前記第２混合槽に混合液を流出させるための流出路とを備え、前記供給管が前記流出路に接続されている。
【００１２】
請求項６に記載の発明は、請求項１乃至請求項５のいずれかに記載の浴槽用混合装置において、前記供給管は、前記多数の孔部を混合液に浸漬させた状態で当該多数の孔部を介して前記第２混合槽内に混合液をシャワー状に供給する。
【００１３】
請求項７に記載の発明は、請求項１乃至請求項５のいずれかに記載の浴槽用混合装置において、前記供給管は、前記多数の孔部を混合液の液面より上に配置させた状態で当該多数の孔部を介して前記第２混合槽内に混合液をシャワー状に供給する。
【００１４】
請求項８に記載の発明は、請求項１乃至請求項７のいずれかに記載の浴槽用混合装置において、前記気体供給部により供給される気体は二酸化炭素である。
【発明の効果】
【００１５】
請求項１に記載の発明によれば、浴槽に気体を混合させた混合液を供給することが可能となる。
【００１６】
請求項２に記載の発明によれば、中間供給路に開閉弁を備えることにより、混合液中への気体の溶解を促進することができる。
【００１７】
請求項３に記載の発明によれば、前記第２混合槽内に、第２混合槽に貯留された混合液の水流を衝突させるための対流壁を備えることにより、第２混合槽内に混合液の対流が誘発され、混合液への気体の混合および溶解を十分に行うことが可能となる。
【００１８】
請求項４に記載の発明によれば、第２混合槽の供給管が中間供給路からの流入口に接続されていることから、第２混合槽内に混合液を供給する際に、さらに気体を溶解させることが可能となる。
【００１９】
請求項５に記載の発明によれば、 第２混合槽内に貯留された混合液に対し、さらに気体を溶解させることが可能となる
請求項６に記載の発明によれば、第２混合槽内において、供給管は、多数の孔部を混合液に浸漬させた状態で当該多数の孔部を介して第２混合槽内に混合液をシャワー状に供給することから、第２混合槽内に多数の対流が生じ、第２混合槽内での気体の溶解効率をさらに高めることが可能となる。
【００２０】
請求項７に記載の発明によれば、第２混合槽内において、供給管は、多数の孔部を混合液の液面より上に配置させた状態で当該多数の孔部を介して第２混合槽内に混合液をシャワー状に供給することから、第２混合槽内に滞留している気体をさらに混合液中に溶解させることが可能となる。
【００２１】
請求項８に記載の発明によれば、気体供給部により供給される気体は二酸化炭素であることから、体内の血行を促進させることが可能となる。
【発明を実施するための最良の形態】
【００２２】
以下、この発明の実施形態について、図面に基づいて説明する。
【００２３】
図１は、この発明の第１実施形態に係る浴槽用混合装置を適用する浴槽３を示す斜視図である。
【００２４】
この浴槽３は、腕用浴槽３０１と脚用浴槽３０２からなり、両浴槽は柱３０３により上下方向に接続される。利用者は、浴槽３の前方に設置された長椅子３１０に座り、腕足を腕用浴槽３０１および脚用浴３０２槽に浸漬させることにより、局所的に体内の血行を促進させることが可能となる。
【００２５】
図２は、この発明の第１実施形態にかかる浴槽用混合装置１の気体および液体の流れを模式的に示す図である。
【００２６】
この浴槽用混合装置１により気体が混合された混合液は供給路３１を介して、浴槽３に供給される。浴槽３から流出する混合液は、流路３５を介して浴槽用混合装置１に備えられるポンプ４３の作用により、浴槽用混合装置１内を循環し、再度、浴槽３に供給される。
【００２７】
この浴槽用混合装置１は、一対の第１混合槽１０と、第２混合槽２０と、浴槽３への供給路３１と、浴槽３から第１混合槽に至るまでの回収循環路３２と、回収循環路３２に水を供給する水供給部４１と、回収循環路３２に気体を供給する気体供給部４２と、混合液を浴槽用混合装置１内に循環させるためのポンプ４３とを備える。
【００２８】
水供給部４１は、回収循環路３２に水を供給するための水供給機構を備える。水供給部４１と回収循環路３２との間の接続管には、開閉弁６１が備えられ、水の供給量を調整することが可能である。これにより、浴槽用混合装置１内を循環し浴槽３に貯留される水の量を勘案しながら、必要量を適宜供給することが可能となる。
【００２９】
気体供給部４２は、回収循環路３２に炭酸ガスなどの温浴効果ガスを供給する機構を備える。気体供給部４２と回収循環路３２との間の接続管には、開閉弁６２が備えられ、これにより、浴槽用混合装置１内を循環し浴槽３に貯留される水に混合させる気体の量を調整することが可能となる。また、気体供給部４２を回収循環路３２に接続することで、上部が大気開放された浴槽３に供給された混合液から気体が乖離して気体の溶解度が低下した混合液が、回収循環路３２を介して第１混合槽１０に至るまでの間に、新たな気体を補給することも可能となる。
【００３０】
浴槽３からの流路３５と回収循環路３２との間には、浴槽３から流出する混合液の流路を切り替えるための切替弁６３が備えられる。これにより、浴槽３から直接排水することが可能となる。
【００３１】
第１混合槽１０および第２混合槽２０は、回収循環路３２から浴槽３に至るまでの間の流路に直列接続される。
【００３２】
図３は、この浴槽用混合装置１を構成する第１混合槽１０を示す説明図である。
【００３３】
第１混合槽１０は、上部に開口部を有する筒状の容器１１と、容器１１の開口部を閉止するための蓋部材１２と、容器１１内部に配設される筒状体１３とを備える。蓋部材１２には、循環供給路３２に接続され、容器１１内部へと挿通する流入孔部１２ａと、流路３３に接続され、容器１１内部へと挿通する流出孔部１２ｂとが形成される。筒状体１３は、下端部開口１３ａが容器１１の底部に近接して配置されるとともに、上端部開口１３ｂが蓋部材１２の流出孔部１２ｂを介して流路３３に接続される。
【００３４】
このため、回収循環路３２から供給される混合液は、容器１１の底部まで到達した後に流路３３に排出されることとなる。これにより、液体と気体との比重差により、上昇しようとする気体流と回収循環路３２から供給される液体流とにより容器１１内部に対流が発生し、液体中に気体を適度に溶解させることが可能となる。
【００３５】
流路３３は、さらに第１混合槽１０に接続され、混合液は、上記と同様の過程を経て、中間循環路３４に流入する。
【００３６】
図４は、この浴槽用混合装置１を構成する第２混合槽２０を示す説明図であり、図５は、この第２混合槽２０に備えられる供給管２２０を側面から示す部分断面図である。
【００３７】
この第２混合槽２０は、Ｌ字型の形状を有し、図５に示すような供給管２２０を備える。供給管２２０は第１混合槽１０からの中間供給路３４に接続され、この供給管２２０を介して第２混合槽２０に混合液が貯留される。
【００３８】
供給管２２０には、多数の孔部２２１が穿設される。この供給管２２０を中間供給路３４に接続することにより、混合液が中間供給路３４からこれらの多数の孔部２２１を通過して第２混合槽２０に供給される。このため、混合液が第２混合槽２０に貯留された混合液中にシャワー状に放出され、気体の溶解効率を高めることが可能となる。このとき供給管２２０が混合液中に浸漬されていることから、多数の孔部２２１から液体が流出することにより第２混合槽２０に貯留された混合液中に対流が生じる。このため、第２混合槽２０内の混合液に気体を十分に溶解することが可能となる。
【００３９】
また、第２混合槽２０は、第２混合槽２０内のエアー抜きのための開閉弁２１を備える。開閉弁２１は、第２混合槽２０から浴槽３に混合液を供給するときに開放する構成としているが、第２混合槽２０内部の混合液と外気との接触を防止するために第２混合槽２０から浴槽３に混合液を供給するときに、開放しない構成とする方が好ましい。例えば、第２混合槽２０または浴槽３内に貯留される液体を排液するときにのみ、開閉弁２１を開放してもよい。
【００４０】
なお、第１混合槽１０から第２混合槽２０に至る中間供給路３４には開閉弁５１が備えられる。中間供給路３４に開閉弁５１を備えることにより、中間供給路３４内の混合液の圧力を調整することが可能となる。中間供給路３４の流路を局所的に狭くして中間供給路３４内の混合液を加圧しながら第２混合槽２０に供給することにより、気体が未飽和の混合液に対して気体の溶解を促進することができる。
【００４１】
また、開閉弁５１は、中間供給路３４の他に、流路３３に備える構成としてもよい。
【００４２】
この浴槽用混合装置１を使用して、気体と液体を混合するには、まず、開閉弁６１と開閉弁６２を開放して、水供給部４１より回収循環路３２に水を供給し、その水中に気体供給部４２から気体を混入させる。
【００４３】
回収循環路３２に供給された水および気体は、一対の第１混合槽１０による混合過程を経た後に、第２混合槽２０に貯留され、さらに混合・溶解される。
【００４４】
第２混合槽２０に貯留された混合液は、浴槽３に供給される。浴槽３から流出した混合液は、流路３５が切替弁６３により回収循環路３２接続されていれば、浴槽用混合装置１内を循環し、流路３５が切替弁６３により排水路３６に接続されていれば、混合液は浴槽用混合装置１外に排水される。
【００４５】
なお、常に気体を混合した混合液を浴槽３に供給し続ける為には、気体供給部４２の回収循環路３２への接続位置は、水供給部４１より下流となる位置とし、供給された水が第１混合槽１０に至る前に、気体が混合される構成とすることが好ましい。ただし、水供給部４１は、浴槽３に接続させる構成としてもよい。
【００４６】
上述のように、この実施形態では、同一の混合機構を有する混合槽を複数、または、異なる混合機構を有する混合槽をさらに組み合わせて複数備えることにより、水に気体が十分に溶解された混合液を、浴槽３に供給することが可能となる。
【００４７】
なお、回収循環路３２には第１混合槽１０の他に、混合液ろ過装置等を接続する構成としてもよい。
【００４８】
また、この実施形態においては、気体供給部４２から供給される気体を二酸化炭素としているが、それ以外の気体であってもよい。
【００４９】
図６は、第２実施形態に係る浴槽用混合装置を構成する第２混合槽２０を示す説明図である。
【００５０】
この第２混合槽２０は、第１実施形態に係る浴槽用混合装置１を構成する第２混合槽２０とは異なり、その内部に対流壁２３を有し、第２混合槽２０内に貯留された混合液を循環させる再循環混合機構を備える。すなわち、再循環混合機構は、循環ポンプ２４の作用により、流出路２６を介して第２混合槽２０から循環ポンプ２４へ流出させた混合液を、循環ポンプ２４から第２混合槽への流入路２５に接続された供給管２２０を介して、第２混合槽２０内に再供給させる構成を有している。このような構成から、混合液への気体の溶解度をより高めることが可能となる。
【００５１】
また、この第２混合槽２０の形状は、その側壁の一辺がくの字型に変形している。これにより、第２混合槽２０内の中間供給路３４からの混合液の流入口と対角の位置に、対流壁２３を形成されることとなる。そして、第２混合槽２０内への流入口から垂直に流入した混合液の水流は、対流壁２３に衝突してその流れの向きを変え、第２混合槽２０内に貯留された混合液に対流を起こさせる。これにより、混合液に気体を、より混合させることが可能となる。
【００５２】
図７は、第３実施形態に係る浴槽用混合装置１を構成する第２混合槽２０を示す説明図である。
【００５３】
この第２混合槽２０は、第２実施形態に係る浴槽用混合装置１を構成する第２混合槽２０とは異なり、その内部に備えられる供給管２３０の側周面には孔部２２１は形成されない。この第２混合槽２０においては、供給管２３０上端の開口部２２２より、混合液を第２混合槽２０内に供給する。この第２混合槽２０においては、開口部２２２に多数の孔部を形成させ、槽内に開口部２２２の多数の孔部を介して噴水状に混合液を放出させることになるため、混合液への気体の溶解度を高めることが可能となる。なお、供給管２３０の開口部２２２は、ノズル状であってもよい。
【００５４】
図８は、第４実施形態に係る浴槽用混合装置１を構成する第２混合槽２０を示す説明図である。
【００５５】
この第２混合槽２０は、第２実施形態に係る浴槽用混合装置１を構成する第２混合槽２０とは異なり、その内部に対流壁２３を備えていない。
【００５６】
また、この第２混合槽２０は、第２実施形態に係る浴槽用混合装置１を構成する第２混合槽２０とは異なり、その内部に水位センサー４４を備え、さらに、その内部に配設される供給管２４０は、水位センサー４４により制御される第２混合槽２０の混合液の水面より上方に突出している部分に孔部２２１を形成させている点において、第２実施形態において第２混合槽２０内に配設された供給管２２０とは異なる。
【００５７】
水位センサー４４により感知された水位信号は、制御部（図示しない）に伝達される。制御部に伝達された水位信号は、水供給部４１および気体供給部４２からの供給量を調節する開閉弁６１および開閉弁６２の開閉度を調整する信号に変換されて開閉弁６１および開閉弁６２に伝達されることにより、第２混合槽２０内の水位を、水位センサー４４の設置位置となるように調整している。
【００５８】
なお、第２混合槽２０内の水位が水位センサー４４の設置位置を超えた場合に、アラーム信号を発生させ、このアラーム信号に応じて、オペレータが手動で開閉弁６１および開閉弁６２の開閉度を調整するようにしてもよい。
【００５９】
この第４実施形態に係る浴槽用混合装置１を構成する第２混合槽２０は、水位センサー４４により制御される第２混合槽２０の混合液の水面より上方に突出している部分に孔部２２１を形成させた供給管を配設していることから、混合液の液面より上に孔部２２１を介して第２混合槽２０内に混合液をシャワー状に供給することになり、第２混合槽２０内に滞留している気体をさらに混合液中に溶解させることが可能となる。
【００６０】
図９は、第５実施形態に係る浴槽用混合装置１を構成する第２混合槽２０を示す説明図である。
【００６１】
この第２混合槽２０は、第４実施形態に係る浴槽用混合装置１を構成する第２混合槽２０とは、その縦断面が矩形状の形状である点において異なる。
【００６２】
なお、第４実施形態および第５実施形態に係る浴槽用混合装置１を構成する第２混合槽２０において配設される供給管２４０は、第２実施形態に係る浴槽用混合装置１を構成する第２混合槽２０において配設される供給管２２０、または、第３実施形態に係る浴槽用混合装置１を構成する第２混合槽２０において配設される供給管２３０であってもよい。いずれの供給管であっても、混合液の液面より上に混合液を噴出させることにより、第２混合槽２０内に滞留している気体をさらに混合液中に溶解させることは可能である。
【００６３】
図１０は、第６実施形態に係る浴槽用混合装置１を構成する第２混合槽２０を示す説明図である。
【００６４】
この第２混合槽２０は、第５実施形態に係る浴槽用混合装置１を構成する第２混合槽２０とは異なり、再循環混合機構を備えていない。そして、第１実施形態に係る浴槽用混合装置１を構成する第２混合槽２０に備えられた供給管２２０と同様に、混合液が中間供給路３４から供給管２２０の多数の孔部２２１を通過して第２混合槽２０に貯留された混合液の水面より上に、シャワー状に供給される構成としている。
【００６５】
この実施形態では、上述した構成により、中間供給路３４から第２混合槽２０に供給される混合液に、第２混合槽２０内に滞留している気体をさらに混合液中に取り込むことが可能なる。
【００６６】
なお、上述した実施形態において、浴槽３への供給路３１において、液体から離隔する気体を液体より分離させて回収する回収手段を設け、この回収手段により回収した気体を再び回収循環路３２のポンプ４３の吐出側に導くように、新たな管路を設けてもよい。
【００６７】
また、この新たな管路は、浴槽用混合装置１を構成する第２混合槽２０が、再循環混合機構を備えている図６乃至図９に示す第２実施形態乃至第５実施形態においては、回収循環路３２から第２混合槽２０における流入路２５に接続するように構成してもよい。
【図面の簡単な説明】
【００６８】
【図１】この発明の第１実施形態に係る浴槽用混合装置１を適用する浴槽３の斜視図である。
【図２】この発明の第１実施形態に係る浴槽用混合装置１の水および気体の流れを模式的に示す図である
【図３】この発明の第１実施形態に係る浴槽用混合装置１を構成する第１混合槽１０を示す説明図である。
【図４】この発明の第１実施形態に係る浴槽用混合装置１を構成する第２混合槽２０周辺を示す説明図である。
【図５】この発明の第１実施形態に係る浴槽用混合装置１を構成する第２混合槽２０に備えられる供給管２２０を側面から示す部分断面図である。
【図６】この発明の第２実施形態に係る浴槽用混合装置１を構成する第２混合槽２０周辺を示す説明図である。
【図７】この発明の第３実施形態に係る浴槽用混合装置１を構成する第２混合槽２０周辺を示す説明図である。
【図８】この発明の第４実施形態に係る浴槽用混合装置１を構成する第２混合槽２０周辺を示す説明図である。
【図９】この発明の第５実施形態に係る浴槽用混合装置１を構成する第２混合槽２０周辺を示す説明図である。
【図１０】この発明の第６実施形態に係る浴槽用混合装置１を構成する第２混合槽２０周辺を示す説明図である。
【符号の説明】
【００６９】
１      浴槽用混合装置
３      浴槽
１０    第１混合槽
１１    容器
１２    蓋部材
１２ａ  流入孔部
１２ｂ  流出孔部
１３    筒状体
１３ａ  下端部開口
１３ｂ  上端部開口
２０    第２混合槽
２１    開閉弁
２３    対流壁
２４    循環ポンプ
２５    流入路
２６    流出路
３１    供給路
３２    回収循環路
３３    流路
３４    中間供給路
３５    流路
３６    排水路
４１    水供給部
４２    気体供給部
４３    ポンプ
５１    開閉弁
６１    開閉弁
６２    開閉弁
６３    切替弁
２２０  供給管
２３０  供給管
２４０  供給管
２２１  孔部
２２２  開口部
３０１  腕用浴槽
３０２  脚用浴槽
３０３  柱
３１０  長椅子
【図１】
2007268245.tif 000003
【図２】
2007268245.tif 000004
【図３】
2007268245.tif 000005
【図４】
2007268245.tif 000006
【図５】
2007268245.tif 000007
【図６】
2007268245.tif 000008
【図７】
2007268245.tif 000009
【図８】
2007268245.tif 000010
【図９】
2007268245.tif 000011
【図１０】
2007268245.tif 000012